(57)【要約】  物質６８を入口シュートに供給し、入口シュートのチャネルセクションに沿って物質コンテナー１０へと先に進めるための投入開口６１がある少なくとも１つの投入点６０が配置された入口シュート９０から、廃棄物を物質コンテナー１０のコンテナー空間に供給する方法。入口シュートは、主に鉛直なチャネルセクション９１と、鉛直方向から逸れるセクション９２、９３とを有する。入口シュート９０内で搬送される物質の搬送は、物質コンテナー１０に向かう物質投入方向において、搬送空気流を入口シュートにもたらすことにより、少なくとも入口シュートの鉛直方向から逸れるセクション９２、９３において向上し、搬送空気流は、少なくとも部分的にファン手段７を用いてもたらされ、ファン手段の送風側は、入口シュート９０と媒体接続され、及び／又はファン手段の吸気側は、物質コンテナー１０のコンテナー空間と媒体接続されている。また本発明は装置に関する。【選択図】図１
2016505473.tif 000002
【特許請求の範囲】
【請求項１】
廃棄物を入口シュート（９０）から物質コンテナー（１０）の前記コンテナー空間に供給する方法であって、前記入口シュート（９０）には少なくとも１つの投入点（６０）が配置され、前記少なくとも１つの投入点（６０）には、物質（６８）を前記入口シュートに供給し、前記入口シュートのチャネルセクションに沿って物質コンテナー（１０）へと先に進めるための投入開口（６１）があり、前記入口シュートは、主に鉛直なチャネルセクション（９１）と、前記鉛直方向から逸れるセクション（９２、９３）とを有し、
前記入口シュート（９０）内で搬送される前記物質の搬送は、前記物質コンテナー（１０）に向かう前記物質投入方向において、前記入口シュートに搬送空気流をもたらすことにより、少なくとも前記入口シュートの前記鉛直方向から逸れる前記セクション（９２、９３）において向上し、前記搬送空気流は、少なくとも部分的にファン手段（７）を用いてもたらされ、前記ファン手段の前記送風側は、前記入口シュート（９０）と媒体接続され、及び／又は前記ファン手段の前記吸気側は、前記物質コンテナー（１０）の前記コンテナー空間と媒体接続されていることを特徴とする、方法。
【請求項２】
前記物質は、主に重力の補助によって、前記入口シュート（９０）内の前記距離の少なくとも一部を搬送されることを特徴とする、請求項１に記載の方法。
【請求項３】
物質は、前記入口シュート（９０）から輸送コンテナーである物質コンテナー（１０）に供給されることを特徴とする、請求項１又は２に記載の方法。
【請求項４】
前記物質は、前記入口シュート（９０）から中間コンテナーである物質コンテナー（１０）に供給され、前記物質は、前記中間コンテナーから先に進めて、例えば空気圧式物質搬送システムの搬送パイプ（１００）に沿って搬送されることを特徴とする、請求項１又は２に記載の方法。
【請求項５】
およそ２ｍ／秒〜１０ｍ／秒の速度の搬送空気流が前記入口シュート（９０）の前記底部にもたらされることを特徴とする、請求項１〜４のいずれか１項に記載の方法。
【請求項６】
廃棄物を入口シュート（９０）から物質コンテナー（１０）の前記コンテナー空間に供給する装置であって、前記入口シュート（９０）には少なくとも１つの投入点（６０）が配置され、前記少なくとも１つの投入点（６０）には、物質（６８）を前記入口シュートに供給し、前記入口シュートのチャネルセクションに沿って物質コンテナー（１０）へと先に進めるための投入開口（６１）があり、前記入口シュート（９０）は、主に鉛直なチャネルセクション（９１）と、前記鉛直方向から逸れるセクション（９２、９３）とを有し、
前記装置はファン手段（７、７’）を備え、前記ファン手段（７）の前記吸気側は、前記物質コンテナー（１０）の前記コンテナー空間と媒体接続され、前記ファン手段（７）の前記送風側は、前記物質コンテナーに向かう前記物質搬送方向において、搬送空気流が、前記入口シュートにもたらされ、少なくとも前記入口シュートの前記鉛直方向から逸れる前記セクション（９２、９３）にもたらされるように、前記入口シュート（９０）と媒体接続されていることを特徴とする、装置。
【請求項７】
前記ファン手段（７）の前記送風側は、チャネルセクション（６）により前記入口シュート（９０）に接続され、前記物質搬送方向において、前記入口シュートの前記鉛直方向から逸れる前記セクション（９２、９３）の前にある地点に接続されていることを特徴とする、請求項６に記載の装置。
【請求項８】
前記ファン手段（７）の前記吸気側は、吸気チャネルセクション（５）により前記物質コンテナー（１０）の前記物質空間の前記頂部に構成されていることを特徴とする、請求項６又は７に記載の装置。
【請求項９】
前記ファン手段（７）の前記送風側は、吸気チャネルセクション（５）により前記入口シュート（９０）の前記底部に構成され、最も好適には前記物質コンテナー（１０）の近位に構成されていることを特徴とする、請求項６又は７に記載の装置。
【請求項１０】
前記ファン手段（７）の前記送風側は、チャネルセクション（６）により前記入口シュート（９０）の前記底部に接続されていることを特徴とする、請求項６〜９のいずれか１項に記載の装置。
【請求項１１】
およそ２ｍ／秒〜１０ｍ／秒の速度の搬送空気流が前記入口シュート（９０）の前記底部にもたらされることを特徴とする、請求項６〜１０のいずれか１項に記載の装置。
【発明の詳細な説明】
【技術分野】
【０００１】
本発明の対象は、請求項１のプリアンブルに記載の方法である。
【０００２】
また、本発明の対象は、請求項６に記載の装置である。
【０００３】
本発明は、包括的には、空気圧式部分真空搬送システム等の物質搬送システムに関し、より詳細には、家庭廃棄物の搬送等のような廃棄物の収集及び搬送に関する。このようなシステムは、とりわけ、国際公開第２００９／０８０８８０号、同第２００９／０８０８８１号、同第２００９／０８０８８２号、同第２００９／０８０８８３号、同第２００９／０８０８８４号、同第２００９／０８０８８５号、同第２００９／０８０８８６号、同第２００９／０８０８８７号、及び同第２００９／０８０８８８号に提示されている。また本発明は、廃棄物を、通常は重力によって搬送する、例えば居住用建物内のより高い位置の投入開口からより低い位置の集積空間又は対応するコンテナーに搬送する、投入点又は廃棄物シュート等の廃棄物供給手段に関する。
【背景技術】
【０００４】
廃棄物を配管内で圧力差又は吸引によって搬送するシステムが、当該技術において知られている。これらのシステムでは、廃棄物は、吸引によって配管内を長距離搬送される。これらのシステムにとって、部分真空装置を用いて圧力差を達成することが一般的である。この装置では、真空ポンプ又はエジェクター装置等の部分真空発生器によって、搬送パイプ内に負圧がもたらされる。搬送パイプは、通常、少なくとも１つの弁手段を備え、この弁手段を開閉することにより、搬送パイプに進入する補充（replacement）空気を調節する。廃棄物投入点、例えば廃棄物コンテナー又は廃棄物シュートをシステムの廃棄物投入端において用いて、この廃棄物投入点に廃棄物等の物質を供給し、放出弁手段を開放することにより、この廃棄物投入点から搬送される物質を搬送パイプに搬送する。この場合、搬送パイプ内で作用する部分真空の補助によって達成される吸引作用と、また廃棄物シュートを介して作用する周囲空気圧とを用いて、例えば袋に詰められた廃棄物等の物質を廃棄物シュートから搬送パイプに搬送し、先に進めて受け取り点に搬送する。受け取り点において、搬送される物質は搬送空気から分離され、更に処理するために搬送されるか、又は例えば輸送コンテナーに搬送される。当該空気圧式廃棄物搬送システムは、人口密度の高い都市部において特に好適に用いることができる。これらのタイプの地区には、高層建物がある。高層建物では、建物内に配置されている廃棄物シュート等の投入点を介して、廃棄物用空気圧式搬送システムに廃棄物が投入される。
【０００５】
投入点から廃棄物シュートを通じて鉛直方向においてより低い位置にあるコンテナーに物質を導くことができる。また、この投入点と中間コンテナーを接続することができる。投入点から供給される物質は、最初にこの中間コンテナーに導かれ、この廃棄物は、この中間コンテナーから先に進めて搬送配管に沿って受け取り点に搬送される。１つの問題としては、高速で廃棄物シュートの底部又は中間コンテナーに落下及び激突し、底部において堅く圧縮された（compacted）廃棄物が、廃棄物シュートの底部から物質コンテナーのコンテナー空間にいつでも望まれるとおりに移動するわけではないことが挙げられる。廃棄物が廃棄物シュートの底部上に圧縮された場合、出口開口の近位において、廃棄物シュートで圧縮された物質は、廃棄物シュートの物質コンテナーにつながるチャネルを閉塞する場合があることが１つの問題である。この場合、廃棄物シュートから物質コンテナーのコンテナー空間への物質の搬送が妨げられ、及び／又は、廃棄物シュートから搬送パイプへの補充見込みの空気のアクセスが妨げられる。機械的障害物をシュートに配設することによって廃棄物の圧縮を防止する試みが行われている。これによって、廃棄物シュートにおける廃棄物袋の落下速度を落とすことが試みられている。機械的な減速障害物に関する問題は、廃棄物袋がこの障害物に衝突する場合にしばしば破れることである。この場合、廃棄物が廃棄物シュートの内面を不必要に汚す。これにより、廃棄物シュートを清潔に維持するのがより困難になり、さらに、破れた廃棄物袋から出て廃棄物シュートを汚くしている廃棄物が有害臭を生じる。また、廃棄物シュートとコンテナーとの間に、廃棄物シュートからコンテナー空間への物質の搬送を妨害するチャネルセクションが存在する場合がある。これらのタイプのチャネルセクションは、物質が水平方向にも搬送される種々の屈曲及びチャネルセクションとすることができる。
【発明の概要】
【発明が解決しようとする課題】
【０００６】
本発明の目的は、廃棄物搬送システムの廃棄物シュートに関する、従来技術の解決策の欠点を回避する新規のタイプの解決策を達成することである。本発明の別の目的は、入口シュートからコンテナー空間への廃棄物の供給が確実に容易になる解決策を達成することである。
【課題を解決するための手段】
【０００７】
本発明は、少なくとも廃棄物シュートの端部とコンテナー空間との間のチャネルセクションに、廃棄物用入口シュート、すなわち廃棄物シュートと、物質コンテナーのコンテナー空間とに接続して空気を循環させる手段を配設し、物質搬送方向において廃棄物シュートからコンテナー空間に供給される廃棄物の移動を向上させるという概念に基づく。
【０００８】
本発明に係る方法は、請求項１に記載の事項を主に特徴とする。
【０００９】
また、本発明に係る方法は、請求項２〜５に記載の事項を特徴とする。
【００１０】
本発明に係る装置は、請求項６に記載の事項を主に特徴とする。
【００１１】
また、本発明に係る装置は、請求項７〜１１に記載の事項を特徴とする。
【００１２】
本発明に係る解決策は、多数の重要な利点を有する。本発明によって、入口シュートすなわち廃棄物シュートの中身を物質コンテナーに迅速かつ効率的に移すことが達成される。本発明に係る方法及び装置を用いれば、廃棄物シュートの詰まりやすさを低減することが可能である。この場合、廃棄物搬送システムの動作は良好なままとなる。本発明によって、以前よりも効率的かつ確実に、物質を入口シュートすなわち廃棄物シュートから物質コンテナーに搬送することが可能である。入口シュートと物質コンテナーとの間のチャネル又は入口シュートにおいて、鉛直方向から逸れるか又は別様に物質の移動を妨害するチャネルセクションが存在する場合であっても、物質を効率的に搬送することができる。この場合、入口シュートと物質コンテナーとの間のチャネルの閉塞しやすさを同時に低減することができる。入口シュートにおける廃棄物の移動速度を加速することにより、物質がコンテナー空間内の更に遠くに飛ぶので、輸送コンテナー等の大型の物質コンテナーをより効率的に満たすことができる。本発明に係る解決策は、種々の実施形態に関して用いることができる。この方法及び装置は、輸送コンテナーである物質コンテナーとともに用いることができる。他方で、本発明に係る解決策は、広域空気圧式廃棄物搬送システムの中間コンテナーとの使用にも好適である。中間コンテナーの供給装置により、廃棄物は中間コンテナーから好適な場所へ供給され、これにより搬送配管における搬送が容易になる。投入分岐継手（input branch coupling）の投入開口と投入開口とをコンテナー空間の本質的に同じ側に配置し、少なくとも物質を中間コンテナーに導く際に、供給手段を逆方向にコンテナー空間の反対側の壁に向かって駆動することにより、中間コンテナーの容積を効率的に用いることができ、同時に物質をコンテナー空間において圧縮すること、すなわちより高密度にすることができる。
【００１３】
本発明によれば、物質を供給するのに、廃棄物容器又は廃棄物シュート等の廃棄物用投入点である物質投入点を用いることができる。本発明に係る方法及び装置は、袋に詰められた（arranged）廃棄物等の廃棄物の搬送システムに関して特によく適している。
【００１４】
以下で、添付の図面を参照しながら一実施形態の助けによって、本発明をより詳細に記載する。
【図面の簡単な説明】
【００１５】
【図１】本発明に係る装置の１つの簡略化した実施形態を示す。
【図２】第１の動作フェーズにおける、本発明に係る装置の１つの簡略化した実施形態を示す。
【図３】第２の動作フェーズにおける、本発明に係る装置の１つの簡略化した実施形態を示す。
【発明を実施するための形態】
【００１６】
図１は、本発明に係る装置の簡略図を示している。この装置は、複数の投入点６０を有する入口シュート９０を備える。複数の投入点６０には、投入開口から入口シュートに物質６８を供給するための投入開口６１がある。図の実施形態では、開閉可能ハッチ６２又は相当物が投入開口６１と結合しており、このハッチは、閉鎖時は投入開口を覆い、開放時は入口シュートへの物質の供給を可能にする。図では、入口シュートは底部において物質コンテナー１０に接続されている。これは、図の実施形態では簡略的な形態で示されている。物質コンテナー１０は、例えば輸送コンテナー、例えば廃棄物コンテナーとすることができる。入口シュート９０は、主として鉛直なセクション９１を有する。略鉛直セクション９１には、図では鉛直方向に互いから或る距離を置いて、例えば異なるフロアに投入点６０が配設されている。入口シュート９０の鉛直セクション９１と物質コンテナー１０との間に、鉛直方向から逸れるセクション９２、９３がある。図の実施形態では、入口シュートの鉛直方向から逸れるセクションには、湾曲部９２と、湾曲部９２の次に主として水平なセクション９３とがある。物質は、略水平セクション９３から入口シュートの底部の投入チャネル９にある投入開口９’を介して、物質コンテナー１０に導かれる。
【００１７】
物質の主に重力による送り込みを向上させるために、駆動手段７’を用いて駆動されるファン手段７が、入口シュート及び物質コンテナーに接続して配設されている。
【００１８】
このように、この装置はファン手段７、７’を備える。ファン手段７の吸気側は、物質コンテナー１０のコンテナー空間と媒体接続されている。ファン手段７の送風側は、少なくとも入口シュートの鉛直方向から逸れるセクション９２、９３において、物質コンテナーに向かう物質投入方向における搬送空気流が入口シュートにもたらされるように、入口シュート９０と媒体接続されている。ファン手段７は、駆動装置７’、例えば電気モーター又は別の好適な駆動装置を用いて駆動されるように構成されている。
【００１９】
ファン手段７の送風側は、チャネルセクション６によって、入口シュート９０に接続され、物質搬送方向において、入口シュートの鉛直方向から逸れるセクション９２、９３よりも前にある地点に接続されている。通常、物質を入口シュートにおいて単に重力によって搬送する場合、入口シュートの鉛直方向から逸れる部分に、物質が集積する可能性があり得る。この場合、入口シュートから物質コンテナー１０のコンテナー空間１１への物質搬送が妨害される可能性がある。ファン手段７の送風側は、チャネルセクション６によって、入口シュート９０の地点に接続され、該地点は、物質搬送方向において、鉛直方向から逸れるチャネルセクション９２、９３よりも前の地点等の、物質の集積を引き起こし得る地点よりも前にある。図の実施形態では、ファン手段７の送風側は、チャネルセクション６によって入口シュート９０の底部に接続されている。
【００２０】
図の実施形態では、ファン手段７の吸気側は、吸気チャネルセクション５によって物質コンテナー１０の物質空間１１と媒体接続して構成されている。図１では、吸気側は、吸気チャネルセクションによって、入口シュート９０の底部に構成され、例えば物質コンテナーのコンテナー空間と媒体接続されている投入チャネル９に構成されている。第２の実施形態によれば、吸気チャネルは、物質コンテナーのコンテナー空間の頂部に直接接続されている。この場合、吸気チャネル部５は、例えば、物質コンテナー１０の頂部において投入チャネル９側の端に構成されている。この場合、吸気チャネル５は、物質コンテナー１０の頂壁に構成されているが、他の場所、例えば側壁に構成することもできる。
【００２１】
１つの実施形態によれば、本発明の構成を用いて、およそ２ｍ／秒〜１０ｍ／秒の流速の搬送空気流が、入口シュート９０にもたらされるように、例えば入口シュート９０の底部にもたらされるように構成される。流量は、適用現場に応じて決めることができ、示したこの値よりも低く又は高くすることができる。
【００２２】
図２及び図３は、物質用投入点又は該物質用投入点の近位に接続して構成されている、本発明の１つの実施形態に係る装置の簡略図を示している。この装置は、廃棄物を空気圧式廃棄物搬送システムの搬送配管１００に供給するものである。
【００２３】
この装置は、少なくとも１つの投入点６０と、入口シュート９０と、物質コンテナーである中間コンテナー１０（この中に投入点６０から入口シュート９０を介して搬送される廃棄物が配される）と、更に廃棄物を投入点から中間コンテナー１０に搬送する手段とを備える。廃棄物は、中間コンテナー１０から先に進めて廃棄物用空気圧式搬送システムの搬送配管１００に搬送される。搬送配管１００では、廃棄物は、搬送空気とともに、システムの廃棄物ステーション等の受け取り点に移動する。分離手段において、搬送される廃棄物は、搬送空気から分離し、更なる処理に向けて又は輸送コンテナーに搬送される。空気圧式廃棄物搬送システムの動作は、ここではより詳細に記載しない。空気圧式廃棄物搬送システムの種々の例が、例えば、国際公開第２００９／０８０８８０号、同第２００９／０８０８８１号、同第２００９／０８０８８２号、同第２００９／０８０８８３号、同第２００９／０８０８８４号、同第２００９／０８０８８５号、同第２００９／０８０８８６号、同第２００９／０８０８８７号、同第２００９／０８０８８８号、及び同第２０１１／１１０７４０号に全般的に示されている。
【００２４】
物質コンテナーとして機能する中間コンテナー１０は、コンテナー空間１１及び供給コンテナー部１２とを有し、さらに、コンテナー空間と供給コンテナー部との間の投入開口１３とを有する。同様に、コンテナー空間１１から投入開口１３を介して中間コンテナーの供給コンテナー部１２へと、廃棄物を搬送する供給手段１８、１９を有する。コンテナー空間１１の底壁（base wall）８は、少なくとも部分的に上方に水平方向に対して或る角度βで傾斜するように構成され、及び／又は、供給手段１８は、搬送方向において上方に投入開口１３に向かって水平方向に対して或る角度βで傾くように構成されている。供給手段１８は、図の実施形態では、駆動手段１９、例えば電気モーターを用いて駆動される供給スクリューである。
【００２５】
物質は、１つ又は複数の投入開口を介して投入点６０、例えば廃棄物シュートに供給される。ハッチ機構６２等を投入開口６２と結合することができる。さらに、弁手段を投入開口と接続することができ、この弁手段を用いて、廃棄物シュートのコンテナー等の供給コンテナーへの物質のアクセスを調整する。通常、廃棄物は、投入開口から廃棄物シュート９０に落下する。複数の投入開口６１（通常は建物の各フロアに少なくとも１つ）が、廃棄物シュートに配置されている。
【００２６】
図２及び図３におけるように、入口シュートすなわち廃棄物シュートは、その底部から投入チャネル９を介して中間コンテナー１０のコンテナー空間１１に接続されている。
【００２７】
入口シュート９０の頂部には、入口空気チャネル９４と、入口空気チャネル９４に接続されているノイズダンパー９５とがある。
【００２８】
図２の実施形態では、ファン手段７の吸気側が吸気チャネル５によって物質コンテナーとして機能する中間コンテナー１０の物質空間に接続され、送風側がチャネル６によって入口シュート９０に接続されている本発明の構成を用いて、入口シュートから物質コンテナーとして機能する中間コンテナー１０への物質の効率的な移動が達成される。
【００２９】
物質は、空気圧式廃棄物搬送システムの部分真空発生器によってもたらされる吸引の作用及び／又は重力の作用によって、投入点から中間コンテナーのコンテナー空間１１に供給される。その場合、物質は、コンテナー空間１１の底部に集まろうとする。従来の構成では、中間コンテナーの出口開口が詰まるリスクと、コンテナーの放出フェーズでの動作の観点で極めて重要である補充空気のアクセスが、空気圧式システムにおいて妨げられるリスクとが存在する。
【００３０】
従来技術の欠点を回避するように、中間コンテナー１０は、コンテナー空間１１と供給コンテナー部１２とに分割され、また、傾斜する底８及び／又は上方に傾く供給スクリュー等の供給手段１８が設けられる。供給手段１８は、駆動装置１９を用いて駆動される。中間コンテナーのコンテナー空間に蓄積した物質は、供給手段１８を用いて投入開口１３に向かって搬送される。廃棄物は供給コンテナー部１２に落下し、供給コンテナー部１２から先に進めて搬送される。
【００３１】
供給手段１８は、必要に応じて又は定期的に駆動されるように構成されている。その場合、搬送される廃棄物の好適な処理単位を、コンテナー空間１１から中間コンテナーの供給コンテナー部１２に搬送することができる。
【００３２】
上方に傾斜する供給手段１８及び／又は底部８は、中間コンテナーの出口開口が詰まる恐れなくして、コンテナーの底部に集まっている廃棄物を好適な処理単位にして供給コンテナー部に搬送することを可能にする。この場合、中間コンテナーの中身を取り出す際、物質を好適な処理単位にして搬送配管１００に搬送することができる。
【００３３】
図２及び図３の実施形態では、物質の回転成形機２０（整形機（formatter））が中間コンテナー１０と接続して配置されている。この回転成形機は、出口開口２４を介して排出パイプ２２に収まるように、物質をより小径のサイズに成形／圧縮し、搬送パイプ１００へと先に進める。排出パイプ２２の弁手段２３が開放する場合、物質は中間コンテナーの供給コンテナー部１２から供給パイプ２２を介して搬送配管１００に移動する。
【００３４】
回転成形機及びその動作は、国際公開第２０１１／０９８６６６号、同第２０１１／０９８６６７号、同第２０１１／０９８６６８号、及び同第２０１１／０９８６６９号により詳細に示されている。
【００３５】
このように、図２及び図３は、物質コンテナー１０として機能する中間コンテナーに関する本発明の一実施形態を示している。この実施形態では、中間コンテナー１０の形状と、入口シュート９０の投入分岐継手９の配置と、投入開口１３の配置と、供給コンテナー１２の配置地点とは、物質コンテナー１０のコンテナー空間１１の本質的に同じ部分に構成されている。この実施形態では、供給コンテナー部１２は、コンテナー空間の底８に形成されている投入開口１３の下方に配置されている。投入分岐継手９のコンテナー空間１１への投入開口９’は、投入開口１３が位置するのと同じ端部のコンテナー空間において、この投入開口の上方に配置されている。
【００３６】
１つの実施形態によれば、入口シュート９０の物質コンテナー１０に接続する投入分岐継手９は、コンテナー空間に導かれる物質をいくらか水平方向に方向付けるように構成されている。この場合、物質は、投入分岐継手の投入開口９’からコンテナー空間１１の反対側の壁１１’に向かってコンテナー空間に導かれる。物質を投入開口９’からコンテナー空間内の更に遠くに導くとともにコンテナー空間において物質を圧縮するために、コンテナー空間の供給手段１８は、図の実施形態では投入分岐継手９の投入開口９’及び／又は投入開口１３から離れるように物質を搬送するように構成されている。廃棄物は、水平方向においては、投入分岐継手９からコンテナー空間内のあまり遠くに移動しない。その場合、例えば供給スクリューとすることができる供給手段１８は、廃棄物を、コンテナー空間内で後方に／後部に搬送し、好ましくはコンテナー空間の反対側の壁１１’に向かって搬送する。したがって、供給手段１８が廃棄物にもたらす供給運動は、コンテナー空間１１内でのコンテナー空間１１の後壁１１’に向かっての廃棄物の移動も引き起こす。その場合、コンテナー空間の後壁１１’は、最初に後壁１１’の底部且つコンテナー部の底部８から上方に（水平方向に対してαの角度で）傾斜し、次に鉛直になるように形成されており、投入コンテナーにおいて物質の進行方向を変える（turns）。図２は、コンテナー空間１１の後壁１１’による上方への物質の搬送を示しており、これは、コンテナー空間１１を効率的に満たす。同時に、供給手段１８を用いて廃棄物が圧縮され、その場合、圧縮しない場合よりも多くの廃棄物をコンテナー空間内に収めることができる。１つの実施形態によれば、本発明に係る構成を用いて、圧縮しない場合の最大２倍の廃棄物をコンテナー空間に収めることができる。
【００３７】
図２は、廃棄物６８が、廃棄物シュートと接続して構成されている投入点６０から投入分岐継手９及び投入開口９’を介して中間コンテナー１０のコンテナー空間１１に搬送されている状況を示している。図２の実施形態では、ファン手段７の吸気側は、物質コンテナー１０のコンテナー空間と媒体接続され、ファン手段７の送風側は、物質コンテナーに向かう物質搬送方向において、搬送空気流が入口シュートにもたらされるように、少なくとも入口シュート９０の鉛直方向から逸れるセクション９２、９３にもたらされるように、入口シュート９０と媒体接続されている。
【００３８】
物質は、投入開口９’から或る距離をコンテナー１０の反対側の壁１１’に向かってコンテナー内に移動する。この動作フェーズでは、供給手段１８として機能する供給スクリューを駆動し、それにより、供給手段は、物質を投入開口９’及び／又は投入開口１３から離れるようにコンテナー空間の後壁１１’に向かって導き、中間コンテナーのコンテナー空間１１を満たすと同時にコンテナー空間のコンテナー空間において物質を圧縮する、すなわちより高密度にする。
【００３９】
廃棄物を中間コンテナー１０から（そのコンテナー空間１１から）搬送するのが望まれる場合、供給手段１８がコンテナー空間１１と供給コンテナー部１２との間の投入開口１３に向かって廃棄物を搬送するように、供給手段１８を駆動する。廃棄物は、投入開口１３から供給コンテナー部１２に導かれる。図３の実施形態では、供給手段は供給スクリューであり、該供給スクリューの回転方向は、図２の動作フェーズとは逆であるように図３の動作フェーズに変更されている。図３の動作フェーズでは、投入開口１３に向かい、供給コンテナー部１２へと先に進む物質の移動は、矢印で示されている。図３の動作フェーズでは、送風手段７を用いて入口シュートに空気が吹き込まれることはない。
【００４０】
供給コンテナー部１２に導かれた廃棄物は先に進めて導かれ、供給コンテナー部の底部に配置されている回転成形機２０を用いて処理される。物質は、供給コンテナー部１２からこの回転成形機の投入開口に導かれる。この投入開口は、同時に供給コンテナー部１２の出口開口２４である。
【００４１】
図２及び図３の実施形態では、供給コンテナー部１２は、回転成形機２０の供給ダクトであり、廃棄物は、この供給ダクトから回転成形機２０の投入開口に導かれ、処理後、先に進めて搬送パイプ１００に導かれる。
【００４２】
排出パイプ２２の弁手段２３が開放すると、物質は、中間コンテナーの供給コンテナー部１２から出口開口２４及び供給パイプ２２を介して搬送配管１００に移動する。少なくとも供給コンテナー部１２の中身を取り出す時点で、この搬送配管１００で部分真空が作用する。
【００４３】
図２及び図３は、接続部を開閉することができる弁手段１５が搬送パイプ１００の補充空気ダクト１４に配設されている、１つの実施形態を示している。
【００４４】
１つの実施形態によれば、中間コンテナー１０のコンテナー空間１１の底部に、コンテナー空間に集積した流体を除去する流体除去分岐継手３０が配設されている。流体除去分岐継手３０は、コンテナーの最下地点又は該最下地点の近位に配設されることが好ましい。図の実施形態では、流体除去分岐継手は、コンテナー空間の底部８と壁１１’との接続地点にある。図２及び図３では、流体除去分岐継手３０に弁手段３１が配設されている。
【００４５】
したがって、本発明は、廃棄物を入口シュート９０から物質コンテナー１０のコンテナー空間に供給する方法に関する。入口シュート９０には少なくとも１つの投入点６０が配置され、少なくとも１つの投入点６０には、物質６８を入口シュートに供給し、入口シュートのチャネルセクションに沿って物質コンテナー１０へと先に進めるための投入開口６１がある。入口シュートは、主に鉛直なチャネルセクション９１と、鉛直方向から逸れるセクション９２、９３とを有する。入口シュート９０内で搬送される物質の搬送は、物質コンテナー１０に向かう物質の投入方向において、搬送空気流を入口シュートにもたらすことにより、少なくとも入口シュートの鉛直方向から逸れるセクション９２、９３において向上する。搬送空気流は、少なくとも部分的にファン手段７を用いてもたらされ、ファン手段の送風側は、入口シュート９０と媒体接続され、及び／又はファン手段の吸気側は、物質コンテナー１０のコンテナー空間と媒体接続されている。
【００４６】
１つの実施形態によれば、物質は、主に重力の補助によって、入口シュート９０内の距離の少なくとも一部を搬送される。
【００４７】
１つの実施形態によれば、物質は、入口シュート９０から輸送コンテナーである物質コンテナー１０に供給される。
【００４８】
１つの実施形態によれば、物質は、入口シュート９０から中間コンテナーである物質コンテナー１０に供給される。物質は、中間コンテナーから、例えば空気圧式物質搬送システムの搬送パイプ１００に沿って先に進めて搬送される。
【００４９】
１つの実施形態によれば、およそ２ｍ／秒〜１０ｍ／秒の速度の搬送空気流が入口シュート９０の底部にもたらされる。
【００５０】
また本発明は、廃棄物を入口シュート９０から物質コンテナー１０のコンテナー空間に供給する装置に関する。入口シュート９０には少なくとも１つの投入点６０が配置され、少なくとも１つの投入点６０には、物質６８を入口シュートに供給し、入口シュートのチャネルセクションに沿って物質コンテナー１０へと先に進めるための投入開口６１がある。入口シュート９０は、主に鉛直なチャネルセクション９１と、鉛直方向から逸れるセクション９２、９３とを有する。本装置はファン手段７、７’を備え、ファン手段７の吸気側は、物質コンテナー１０のコンテナー空間と媒体接続され、ファン手段７の送風側は、物質コンテナーに向かう物質搬送方向において、搬送空気流が入口シュートにもたらされるように、少なくとも入口シュートの鉛直方向から逸れるセクション９２、９３にもたらされるように、入口シュート９０と媒体接続されている。
【００５１】
１つの実施形態によれば、ファン手段７の送風側は、チャネルセクション６により入口シュートに接続され、物質搬送方向において、入口シュートの鉛直方向から逸れるセクション９２、９３の前にある地点に接続されている。
【００５２】
１つの実施形態によれば、ファン手段７の吸気側は、吸気チャネルセクション５を伴って物質コンテナー１０の物質空間の頂部に配置されている。
【００５３】
１つの実施形態によれば、ファン手段７の送風側は、吸気チャネルセクション５を伴って入口シュート９０の底部に構成され、最も好適には物質コンテナーの近位に構成されている。
【００５４】
１つの実施形態によれば、ファン手段７の送風側は、チャネルセクション６によって入口シュート９０の底部に接続されている。
【００５５】
１つの実施形態によれば、ファン手段７の吸気側は、吸気チャネルセクションによって入口シュートに構成され、物質の移動方向において、チャネルセクション６を伴うファン手段の送風側よりも物質コンテナーに近い。
【００５６】
１つの実施形態によれば、およそ２ｍ／秒〜１０ｍ／秒の速度の搬送空気流が入口シュートの底部にもたらされる。
【００５７】
通常、物質は、袋に詰められた廃棄物等の廃棄物である。投入点及び中間コンテナーは、空気圧式廃棄物搬送システムの一部として構成することもできるし、廃棄物を廃棄物室、廃棄物コンテナー、又は相当物に導く別個の部分とすることもできる。
【００５８】
本発明は上記に示した実施形態に限定されないが、本発明は添付の特許請求の範囲の範囲内で変更することができることは、当業者には明らかである。上記記載において他の特徴と関連して示された可能性のある特徴は、必要な場合、互いと別々に用いることができる。
【図１】
2016505473.tif 000003
【図２】
2016505473.tif 000004
【図３】
2016505473.tif 000005
【国際調査報告】
2016505473.tif 000006
2016505473.tif 000007
2016505473.tif 000008